(57)【要約】【課題】本考案は、野球選手、相撲取り、サッカー選手、芸能人等の写真及び前記写真に写る人物のサイン、情報等の管理対象品を見開き一対として管理することができ、好きな野球チームの選手等の写真及びサイン等の管理対象品をまとめて容易に収集、管理できることが可能なフォトアルバムを提供することを目的とするものである。【解決手段】本考案は、内面２ｄに写真５を貼付する表表紙２ａ、裏表紙２ｂ、背表紙２ｃよりなる表紙２と、前記表紙２に綴じられ、見開き時に前記表表紙の内面に貼付した写真５と隣り合う位置に一対として管理される前記写真５の人物５ａのサイン色紙３ａを貼付するサイン台紙３と、からなることを特徴とするフォトアルバム１の構成とした。【選択図】図６
0003128965.tif 000002
【実用新案登録請求の範囲】
【請求項１】
内面に写真を貼付する表表紙、裏表紙、背表紙よりなる表紙と、
前記表紙に綴じられ、見開き時に前記表表紙の内面に貼付した写真と隣り合う位置に一対として管理される前記写真の人物のサイン色紙を貼付するサイン台紙とからなることを特徴とするフォトアルバム。
【請求項２】
内面に写真を貼付する表表紙、裏表紙、背表紙よりなる表紙と、
前記表紙に綴じられ、関連するメンバー分の複数枚のサイン／写真台紙とからなり、見開き時に写真と隣り合う位置に一対として管理される前記写真の人物のサイン色紙を貼付したことを特徴とするフォトアルバム。
【考案の詳細な説明】
【技術分野】
【０００１】
本考案は、野球選手等の写真を貼付するフォトアルバムであって、写真と共に前記写真に写る野球選手等のサイン等を一組として管理・収集することが可能なフォトアルバムに関する。
【背景技術】
【０００２】
従来、野球選手、芸能人等の写真及びサイン等を収集・管理する場合には、写真は専用のフォトアルバムに収め、サイン等は専用のサイン帳に収集し、または写真に直接サインを記入して貰ってフォトアルバムに収めていた。
【０００３】
しかしながら、野球選手、芸能人等の写真とサインをそれぞれ専用のフォトアルバムやサイン帳に収集した場合、写真の人物とサインが一致せず、サインが誰のものか分からなくなってしまうとの欠点があった。
【０００４】
また、特許文献１に記載されたように、旅程やスタンプ等の旅行に関する情報と共に旅先での写真を収容可能としたフォトアルバム付き手帳は存在していた。
【０００５】
しかしながら、前記記載のフォトアルバム付き手帳は、旅行の記録を一回の旅行ごとに一括管理して記録の散逸を防止するものであり、野球選手等の写真とサインを一括して管理・収集することを目的としたものではない。
【特許文献１】特開平０８−１１８８４５号
【考案の開示】
【考案が解決しようとする課題】
【０００６】
そこで、本考案は、野球選手、力士、サッカー選手、芸能人等の写真及び前記写真に写る人物のサイン、情報等の管理対象品を見開き一対として管理することができ、好きな野球チームの選手等の写真及びサイン等の管理対象品をまとめて容易に収集、管理できることが可能なフォトアルバムを提供することを目的とするものである。
【課題を解決するための手段】
【０００７】
上記の課題を解決するために、本考案は、内面２ｄに写真５を貼付する表表紙２ａ、裏表紙２ｂ、背表紙２ｃよりなる表紙２と、前記表紙２に綴じられ、見開き時に前記表表紙２ａの内面に貼付した写真５と隣り合う位置に一対として管理される前記写真５の人物５ａのサイン色紙３ａを貼付するサイン台紙３と、からなることを特徴とするフォトアルバム１の構成とし、また、内面２ｄに写真５を貼付する表表紙２ａ、裏表紙２ｂ、背表紙２ｃよりなる表紙２と、前記表紙２に綴じられ、関連するメンバー分の複数枚のサイン／写真台紙３ｃ、８、９ａ・・・とからなり、見開き時に写真５、５ｂ、８ａ、・・・と隣り合う位置に一対として管理される前記写真５、５ｂ、８ａ、・・・の人物５ａ、８ｂ、・・のサイン色紙３ａ、９ａを貼付したことを特徴とするフォトアルバム７の構成とした。
【考案の効果】
【０００８】
本考案は、野球選手、力士、サッカー選手、芸能人等の写真と前記写真に写る人物のサイン等を別々のときに収集しても、写真とサインを見開き一対として管理できるため、サインが誰のものかが明確に分かり、容易に管理することができる。
【０００９】
また、サイン／写真台紙を適時増やし、綴ることにより、好きなチームの選手の写真とサインを収集し、一括して管理することができる。
【考案を実施するための最良の形態】
【００１０】
内面２ｄに写真５を貼付する表表紙２ａ、裏表紙２ｂ、背表紙２ｃよりなる表紙２と、前記表紙２に綴じられ、関連するメンバー分の複数枚のサイン／写真台紙３ｃ、８、９ａ・・・とからなり、見開き時に写真５、５ｂ、８ａ、・・・と隣り合う位置に一対として管理される前記写真５、５ｂ、８ａ、・・・の人物５ａ、８ｂ、・・のサイン色紙３ａ、９ａを貼付し、さらに前記写真に透明フィルム６で覆ったことを特徴とするフォトアルバム７の構成とすることにより実現した。
【実施例１】
【００１１】
図１は本考案であるフォトアルバムの正面図、図２はフォトアルバムの左側面図、図３はフォトアルバムの右側面図、図４はフォトアルバムの平面図、図５はフォトアルバムを開いた状態の正面図、図６はフォトアルバムの開いた状態の斜視図である。
【００１２】
本考案であるフォトアルバム１は、表紙２と、サイン台紙３とからなる。写真５を透明フィルム６で覆ってもよい。
【００１３】
表紙２は、内面２ｄに写真５を貼付する表表紙２ａ、裏表紙２ｂ、背表紙２ｃよりなる。図１に示すように、表表紙２ａの外面には、野球チームのチーム名、ロゴあるいはトレードマークなど任意の文字やイラストを記載、貼付するロゴ挿入位置１ａが確保されている。これにより、フォトアルバム１に納められた写真及びサイン等の管理対象品を明確することができる。背表紙２ｃにフォトアルバム１に収納された内容を記載することもできる。
【００１４】
表表紙２ａの内面２ｄに写真５を貼付し、さらに写真５を透明フィルム６で覆う。透明フィルム６は、写真５を覆い、表表紙２ａの内面２ｄに貼り付けられる。繰り返し着脱できる素材で、貼り付けてもよい。これにより、フォトアルバム１の開閉に伴う傷、退色などの写真５の劣化を防止しする。
【００１５】
サイン台紙３は、表紙２の内部に綴じられ、見開き時に前記写真５と隣り合う位置に一対として管理されるサイン３ｂを記載するサイン色紙３ａを貼付する。また、サイン台紙３は、着色、装飾し、サイン色紙３ａにより隠されない部分の余白４で、サイン３ｂを目立たせるとともにサイン３ｂ自体を装飾することもできる。
【００１６】
図２から図６に示すように、フォトアルバム１は、表紙２、背表紙２ｃ、裏表紙２ｂによりコの字状に形成されている。
【００１７】
表表紙２ａの内面２ｄには野球選手の人物５ａを撮影した写真５が貼付され、その写真５を覆うようにして写真５を防護するための透明フィルム６が貼付されている。
【００１８】
サイン台紙３には、サイン色紙３ａの内側の点線で囲った部分に写真５に写る人物５ａのサイン３ｂを記入してもらうことで、写真５と、写真５に写る人物５ａのサイン３ｂを見開き一対として管理することができる。
【実施例２】
【００１９】
図７は、本考案であるフォトアルバムの他の実施例の開いた状態の斜視図である。図７に示すように、本考案であるフォトアルバム７は、内面２ｄに写真５を貼付する表表紙２ａ、裏表紙２ｂ、背表紙２ｃよりなる表紙２と、前記表紙２に綴じられ、関連するメンバー分の複数枚のサイン／写真台紙３ｃ、８、９ａ・・・とからなり、見開き時に写真５、５ｂ、８ａ、・・・と隣り合う位置に一対として管理される前記写真５、５ｂ、８ａ、・・・の人物５ａ、８ｂ、・・のサイン色紙３ａ、９ａを貼付してなる。
【００２０】
図７では、フォトアルバム７は、ここでは、合計３名のサイン３ｂをまとめて綴り管理しているが、複数枚のサイン／写真台紙３ｃ、８、９・・・を綴ることで、例えば、野球チームの全員の写真とサイン３ｂの対を１つのフォトアルバムで管理することができる。また、ある年の幕内力士全員の写真とサインも同様に１つのフォトアルバムで管理することができる。
【００２１】
本考案であるフォトアルバム７のサイン／写真台紙３ｃ、８、９・・・をフォトアルバム７に綴る方法としては、一般に販売されているバインダーを表紙２として、孔を穿孔したサイン／写真台紙を順次、綴ればよい。余白９ｂは、余白４と同じである。
【図面の簡単な説明】
【００２２】
【図１】フォトアルバムの正面図である。
【図２】フォトアルバムの左側面図である。
【図３】フォトアルバムの右側面図である。
【図４】フォトアルバムの平面図である。
【図５】フォトアルバムの開いた状態の正面図である。
【図６】フォトアルバムの開いた状態の斜視図である。
【図７】フォトアルバムの他の実施例の開いた状態の斜視図である。
【符号の説明】
【００２３】
１        フォトアルバム
１ａ      ロゴ挿入位置
２        表紙
２ａ      表表紙
２ｂ      裏表紙
２ｃ      背表紙
３        サイン台紙
３ａ      サイン色紙
３ｂ      サイン
３ｃ      サイン／写真台紙
４        余白
５        写真
５ａ      人物
５ｂ      写真
６        透明フィルム
７        フォトアルバム
８        サイン／写真台紙
８ａ      写真
８ｂ      人物
９        サイン／写真台紙
９ａ      サイン色紙
９ｂ      余白
【図１】
0003128965.tif 000003
【図２】
0003128965.tif 000004
【図３】
0003128965.tif 000005
【図４】
0003128965.tif 000006
【図５】
0003128965.tif 000007
【図６】
0003128965.tif 000008
【図７】
0003128965.tif 000009